(57)【要約】【課題】データベース等のＷＥＢ接続を行うことなく、簡単な操作でもって圧縮音声データのテキスト設定を行うことができると共に、構造を複雑化することのない圧縮音声データのテキスト設定装置及び圧縮音声データのテキスト設定方法を提供する。【解決手段】記録再生装置の全体を複合的に制御するためのシステム制御部１にＣＰＵ１ａとＲＯＭ１ｂとＲＡＭ１ｃを設ける。システム制御部１には、表示器２、キー操作部３、リモコン受信部４を接続する。システム制御部１に接続された記録再生部５は、ハードディスク、半導体メモリ等の記録媒体に記録された保存先である記録装置部５ａの情報を再生して圧縮音声ファイルを得る。システム制御部１に接続された記録部６は、圧縮音声ファイルに含まれる音声データ成分をＣＤ−Ｒ、ＣＤ−ＲＷ等の記録媒体６ｂに、記録動作駆動部６ａによって適正制御されてデータ記録される。テキストデータ記憶部（例えばＲＡＭ１ｃ）に格納されているテキスト情報を展開して前記音声データ成分に付加して書き込む制御を行う記録制御部を設ける。【選択図】　　図１
2004037686.tif 000002
【特許請求の範囲】
【請求項１】
音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納するテキストデータ記憶部と、
前記圧縮音声ファイルに含まれる音声データ成分を記録媒体に記録するときに、前記テキストデータ記憶部に格納されているテキスト情報を展開して前記音声データ成分に付加して書き込む制御を行う記録制御部とを具備することを特徴とする圧縮音声データのテキスト設定装置。
【請求項２】
音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納するテキストデータ記憶部と、
前記圧縮音声ファイルに含まれる音声データ成分をデジタル信号の形式で出力するときに、前記メモリに格納されているテキスト情報を展開して前記音声データ成分に付加して出力する制御を行う出力制御部とを具備することを特徴とする圧縮音声データのテキスト設定装置。
【請求項３】
前記圧縮音声ファイルは、ハードディスク、半導体メモリ等の記録媒体に記録された保存先の情報を再生して得るように構成することを特徴とする請求項１または請求項２に記載の圧縮音声データのテキスト設定装置。
【請求項４】
前記圧縮音声ファイルは、データ記録済みのＣＤ、ＭＤ等の記録媒体に記録された保存先の情報を再生して得るように構成することを特徴とする請求項１または請求項２に記載の圧縮音声データのテキスト設定装置。
【請求項５】
前記圧縮音声ファイルは、ハードディスク、半導体メモリ等の記録媒体に記録された保存先の情報を再生して得ると共に、データ記録済みのＣＤ、ＭＤ等の記録媒体に記録された保存先の情報を再生して得るように構成することを特徴とする請求項１または請求項２に記載の圧縮音声データのテキスト設定装置。
【請求項６】
前記記録制御部は、テキスト情報を展開して前記音声データ成分に付加して書き込むときに、当該テキスト情報の編集機能を付加して構成することを特徴とする請求項１に記載の圧縮音声データのテキスト設定装置。
【請求項７】
前記出力制御部は、テキスト情報を展開して前記音声データ成分に付加して出力するときに、当該テキスト情報の編集機能を付加して構成することを特徴とする請求項２に記載の圧縮音声データのテキスト設定装置。
【請求項８】
音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納する動作ステップと、
前記圧縮音声ファイルに含まれる音声データ成分を記録媒体に記録するときに、既に格納されているテキスト情報を展開して前記音声データ成分に付加して書き込む動作ステップとを有することを特徴とする圧縮音声データのテキスト設定方法。
【請求項９】
音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納する動作ステップと、
前記圧縮音声ファイルに含まれる音声データ成分を記録媒体に記録するときに、既に格納されているテキスト情報を展開して前記音声データ成分に付加して外部機器に出力する動作ステップとを有することを特徴とする圧縮音声データのテキスト設定方法。
【請求項１０】
前記テキスト情報の編集を行う動作ステップを付加することを特徴とする請求項８または請求項９に記載の圧縮音声データのテキスト設定方法。
【発明の詳細な説明】
【０００１】
【発明の属する技術分野】
本発明は、圧縮音声データのテキスト設定装置及びテキスト設定方法に関する。
【０００２】
【従来の技術】
一般に、圧縮音声ファイル（ＭＤ記録再生機器に用いられているＡＴＲＡＣ／ＡＴＲＡＣ３規格による音声ファイルを除く）をＰＣＭやＡＴＲＡＣ等の規格に基づいて変換し、パソコンに内蔵もしくは外付けのドライブ装置、またはデジタル出力を用いてＣＤ−Ｒ、ＣＤ−ＲＷ、ＭＤ等のディスクに記録することが広く行われている。
【０００３】
ディスクに記録するときの元データである圧縮音声ファイルには、付加情報として、「曲名、アルバム名称、演奏アーティスト名」等のテキストデータが付加されているに拘わらず、ＣＤ−ＴＥＸＴやＭＤ−ＴＥＸＴに関しては、データをＷＥＢ等からダウンロードした後に再度ＷＥＢ上のＣＤＤＢ等のデータベースに格納されている該当テキストデータをダウンロードすることによって必要なテキストデータを取得するか、またはユーザーがテンキー等を手動操作することによってテキストデータを得ている。
【０００４】
ＣＤ−ＲやＣＤ−ＲＷにデータ記録するに際して、ＣＤテキストデータをプログラムデータのサブコード領域に付加し、記録時にプログラムエリアに記録するという技術は、例えば特開２００１−１４８００に開示されていて、一方、元データに含まれる付加情報は、例えばＭＰ３規格におけるＩＤ３ｔａｇ情報があり、ＭＰ３構造は図６に示すように、最大で２５６ＭバイトのデータでなるＩＤ３ｔａｇ　ｖ．２データがファイル先頭に位置され、次にＭＰＥＧオーディオデータと、１２８バイトのデータでなるＩＤ３ｔａｇ　ｖ．１データが位置されて構成される。
【０００５】
ＩＤ３ｔａｇ情報を構成するＩＤ３ｔａｇ　ｖ．１データの詳細は、図７に示すようにファイル先頭に３バイトのタグデータが位置され、次に３０バイトで形成されるタイトルデータが位置され、以降には３０バイトで形成されるアーティスト名データ、３０バイトで形成されるアルバム名データ、４バイトで形成されるリリース年度データ、３０バイトで形成されるコメントデータ、１バイトで形成されるジャンルデータが順次に位置されている。
【０００６】
ＩＤ３ｔａｇ情報を構成するＩＤ３ｔａｇ　ｖ．２データの詳細は、図８に示すようにファイル先頭に１０バイトのヘッダデータが位置され、次に拡張ヘッダデータが位置され、以降には複数のフレームデータが位置され、残りの領域（ｐａｄｄｉｎｇ領域）は「０」データで埋められている。
【０００７】
１０バイトのヘッダデータは、３バイトのタグ識別子と、２バイトのタグバージョンデータと、１バイトのフラグデータと、４バイトのタグサイズデータで形成され、複数のフレームのそれぞれは、「レーム名、フレームサイズ、各種フラグ」でなるフレームヘッダデータと、各フレーム毎に固有のフォーマットでなる内容データで形成されている。
【０００８】
【発明が解決しようとする課題】
従来の圧縮音声データのテキスト設定装置及びテキスト設定方法は、ＷＥＢに接続できるユーザーの使用環境、もしくは記録機器にモデム機能が設けられることが必須であり、使用が制限されてしまうという問題がある。
【０００９】
一方、テキスト情報の入手をＷＥＢに接続しないで行う場合には、文字入力キーを用いた繁雑操作をユーザーに強いることになりその改善が望まれていた。
【００１０】
そこで、本発明の目的は、データベース等のＷＥＢ接続を行うことなく、簡単な操作でもって圧縮音声データのテキスト設定を行うことができると共に、構造を複雑化することのない圧縮音声データのテキスト設定装置及び圧縮音声データのテキスト設定方法を提供することにある。
【００１１】
【課題を解決するための手段】
前記課題を解決するために、本発明による圧縮音声データのテキスト設定装置は、次に記載するような特徴的な構成を採用している。
【００１２】
（１）音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納するテキストデータ記憶部と、
前記圧縮音声ファイルに含まれる音声データ成分を記録媒体に記録するときに、前記テキストデータ記憶部に格納されているテキスト情報を展開して前記音声データ成分に付加して書き込む制御を行う記録制御部とを具備する圧縮音声データのテキスト設定装置。
【００１３】
（２）音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納するテキストデータ記憶部と、
前記圧縮音声ファイルに含まれる音声データ成分をデジタル信号の形式で出力するときに、前記メモリに格納されているテキスト情報を展開して前記音声データ成分に付加して出力する制御を行う出力制御部とを具備する圧縮音声データのテキスト設定装置。
【００１４】
（３）前記圧縮音声ファイルは、ハードディスク、半導体メモリ等の記録媒体に記録された保存先の情報を再生して得るように構成する上記（１）または上記（２）の圧縮音声データのテキスト設定装置。
【００１５】
（４）前記圧縮音声ファイルは、データ記録済みのＣＤ、ＭＤ等の記録媒体に記録された保存先の情報を再生して得るように構成する上記（１）または上記（２）の圧縮音声データのテキスト設定装置。
【００１６】
（５）前記圧縮音声ファイルは、ハードディスク、半導体メモリ等の記録媒体に記録された保存先の情報を再生して得ると共に、データ記録済みのＣＤ、ＭＤ等の記録媒体に記録された保存先の情報を再生して得るように構成する上記（１）または上記（２）の圧縮音声データのテキスト設定装置。
【００１７】
（６）前記記録制御部は、テキスト情報を展開して前記音声データ成分に付加して書き込むときに、当該テキスト情報の編集機能を付加して構成する上記（１）の圧縮音声データのテキスト設定装置。
【００１８】
（７）前記出力制御部は、テキスト情報を展開して前記音声データ成分に付加して出力するときに、当該テキスト情報の編集機能を付加して構成する上記（２）の圧縮音声データのテキスト設定装置。
【００１９】
また、前記課題を解決するために、本発明による圧縮音声データのテキスト設定方法は、次に記載するような特徴的な動作ステップを採用している。
【００２０】
（８）音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納する動作ステップと、
前記圧縮音声ファイルに含まれる音声データ成分を記録媒体に記録するときに、既に格納されているテキスト情報を展開して前記音声データ成分に付加して書き込む動作ステップとを有する圧縮音声データのテキスト設定方法。
【００２１】
（９）音声データに基づくプログラムデータと、該プログラムデータに対応するテキストデータが付加された圧縮音声ファイルが格納されているフォルダ名、または圧縮音声ファイル名に付加されているタグ情報から必要な情報を取り出してテキスト情報として格納する動作ステップと、
前記圧縮音声ファイルに含まれる音声データ成分を記録媒体に記録するときに、既に格納されているテキスト情報を展開して前記音声データ成分に付加して外部機器に出力する動作ステップとを有する圧縮音声データのテキスト設定方法。
【００２２】
（１０）前記テキスト情報の編集を行う動作ステップを付加する上記（８）または上記（９）の圧縮音声データのテキスト設定方法。
【００２３】
【発明の実施の形態】
以下、本発明の実施の形態について図面を用いて詳細に説明する。先ず、第１の実施の形態について図１と図２を用いて説明する。
【００２４】
記録再生装置の全体を複合的に制御するためのマイコンでなるＣＰＵ１ａとＲＯＭ１ｂとＲＡＭ１ｃを有して構成されるシステム制御部１には、表示器２、キー操作部３、リモコン受信部４が接続され、表示器２は、一連の記録動作と再生動作のモード状態を表示、再生時間や記録時間の表示等々を行うもので、キー操作部３は、記録再生のモードを選択したり再生と記録の動作制御を指令するための操作キーとテキストデータの編集を行うための操作キーを有して構成され、リモコン受信部４は、不図示のリモコン装置からの指令光を受けてシステム制御部１に伝達する機能を有して構成されている。
【００２５】
システム制御部１に接続された記録再生部５は、ハードディスク、半導体メモリ等の記録媒体に記録された保存先である記録装置部５ａの情報を再生して圧縮音声ファイルを得るものである。
【００２６】
システム制御部１に接続された記録部６は、圧縮音声ファイルに含まれる音声データ成分をＣＤ−Ｒ、ＣＤ−ＲＷ等の記録媒体６ｂに、記録動作駆動部６ａによって回転制御と光ビーム制御を適正に行ってデータ記録されるように制御され、また、テキストデータ記憶部（例えばＲＡＭ１ｃ）に格納されているテキスト情報を展開して前記音声データ成分に付加して書き込む制御を行う記録制御部を設けて構成される。
【００２７】
システム制御部１に接続されたエンコード／デコード部７は、記録時と再生時に所望方式のエンコードとデコードを行うもので、発振子８は、システム制御部１による各種動作の基準クロックを生成するためのものである。
【００２８】
以上のように構成された情報記録再生装置において、ＴＥＸＴデータ作成及びメディア（記録媒体６ｂ）への書き込みが開始されると、先ずステップＳ１にてユーザーがフォーマット変換する音声圧縮ファイルを選択し、ステップＳ２に進んで、ＴＥＸＴデータを付加するか否かを判定し、付加しない場合（Ｎｏの場合）にはステップＳ５に進み、ステップＳ１で既に選択されているファイルの音声データ部をフォーマット変換した後にステップＳ６に進み、メディアへの書き込みが行われ今回動作が完了しステップＳ７に進んで次回のＴＥＸＴデータ作成及びメディアへの書き込みが開始される。
【００２９】
ステップＳ２にてＴＥＸＴデータを付加すると判定された場合（Ｙｅｓの場合）には、ステップＳ３に進んで選択されたファイルの読み込みが行われ、次のステップＳ４に進んで選択されたファイルに付加情報が含まれているか否かが判定され、含まれていない場合（Ｎｏの場合）にはステップＳ５に進み、ステップＳ１で既に選択されているファイルの音声データ部をフォーマット変換した後にステップＳ６に進み、メディアへの書き込みが行われ今回動作が完了しステップＳ７に進んで次回のＴＥＸＴデータ作成及びメディアへの書き込みが開始される。
【００３０】
ステップＳ４にて選択されたファイルに付加情報が含まれていると判定された場合（Ｙｅｓの場合）には、ステップＳ８に進んで付加情報の読み込みが行われ次のステップＳ９に進み、既に読み込まれた付加情報から各メディアに含まれていたＴＥＸＴデータの作成が行われ、ステップＳ１０に進み、読み込まれたＴＥＸＴデータを編集するか否かを判定する。
【００３１】
ステップＳ１０で編集しないと判定された場合（Ｎｏの場合）にはステップＳ１１に進んでステップＳ１で既に選択されたファイルの音声データ部をフォーマット変換した後にステップＳ１２に進み、フォーマット変換されている音声データにステップＳ９にて既に生成されているＴＥＸＴデータを付加した状態でメディアへの書き込みが行われ今回動作が完了しステップＳ７に進んで次回のＴＥＸＴデータ作成及びメディアへの書き込みが開始される。
【００３２】
ステップＳ１０で編集すると判定された場合（Ｙｅｓの場合）にはステップＳ１３に進んでユーザーによるＴＥＸＴ編集作業が行われた後にステップＳ１１に進んでステップＳ１で既に選択されたファイルの音声データ部をフォーマット変換した後にステップＳ１２に進み、フォーマット変換されている音声データにステップＳ１３にて既に編集済みのＴＥＸＴデータを付加した状態でメディアへの書き込みが行われ今回動作が完了しステップＳ７に進んで次回のＴＥＸＴデータ作成及びメディアへの書き込みが開始され、以下同様にしてＴＥＸＴデータ作成及びメディアへの書き込みが繰り返し行われる。
【００３３】
本発明の第２の実施の形態による情報記録再生装置は、図３に示すように、図１に示す情報記録再生装置の記録再生部５を再生部１０に置き換えると共に、新たに記録装置部９を設けたものである。システム制御部１に接続される再生部１０は、ＣＤやＭＤでなる再生媒体１０ｂに対し再生動作駆動部１０ａを用いて適正に回転制御と光信号読み取り制御を行うことによって元データが得られるように構成される。
【００３４】
システム制御部１に接続される記録装置部９は、再生媒体１０ｂに記録されているテキスト情報を再生動作駆動部１０ａを用いて再生したデータを主として格納するためのテキストデータ記憶部（例えばＲＡＭ１ｃ）である。また、圧縮音声ファイルは、データ記録済みのＣＤ、ＭＤ等の記録媒体に記録された保存先の情報を再生する再生部１０によって得るように構成される。
【００３５】
本発明の第３の実施の形態による情報記録再生装置は、図４に示すように、図１に示す情報記録再生装置の「記録再生部５と記録部６」の代わりに再生部１３を設け、「ネットワーク接続部１１とデジタルインターフェイス部１２」を設け、ネットワーク接続部１１に外部記録機１４を接続し、デジタルインターフェイス部１２に外部デジタル記録機１５を接続して構成される。
【００３６】
システム制御部１に接続される再生部１３は、ＣＤやＭＤでなる再生媒体１３ｂに対し再生動作駆動部１３ａを用いて適正に回転制御と光信号読み取り制御を行うことによって元データが得られるように構成され、当該の元データを主として格納するための記録装置部１３ｃが設けられている。
【００３７】
システム制御部１に接続されるネットワーク接続部１１は、外部に設けられている外部記録機１４に接続してデータ送受をするためのもので、システム制御部１に接続されるデジタルインターフェイス部１２は、システム制御部１と外部デジタル記録機１５を接続するためのデータ変換を行うように構成される。
【００３８】
再生部１３は、データ記録済みのＣＤ、ＭＤ等の記録媒体（再生媒体１３ｂ）に記録された保存先の情報を再生するように構成されている。
【００３９】
なお、今までの説明とは逆の手順でＴＥＸＴデータを有するメディア（ＣＤＤＡ、ＭＤ、ＤＶＤ等）を変換元とした場合に、音声圧縮データの付加情報に変換元のＴＥＸＴ情報を付加するようにしてもよい。その概略動作は、メディアのＴＥＸＴ情報を読み込んだ際に変換元のフォーマットに合致した付加情報形式に変換した上で記憶装置部に記憶しておき、次に変換元のコンテンツから圧縮音声ファイルが作成されたときに、その付加情報エリアにＴＥＸＴ情報を加えるものであり、次にその詳細動作を図５に示すフローチャートを用いて説明する。
【００４０】
付加情報及び圧縮音声作成が開始されると、先ずステップＳ１４でメディアの読み込みがなされ、次のステップＳ１５で圧縮音声方式の選択がなされ、次のステップＳ１６で圧縮品質の選択、即ち、サンプリング周波数、ビットレート等の選択がなされた後にステップＳ１７に進む。
【００４１】
ステップＳ１７は、作成ファイルに付加情報を付加するか否かを判定するもので、付加しないと判定された場合（Ｎｏの場合）にはステップＳ１９に進んでメディアに含まれる音声をフォーマット変換、例えば記録媒体がＣＤの場合にはＰＣＭ変換で、ＭＤの場合にはＡＴＲＡＣ変換すると同時的に圧縮し、次のステップＳ２０に進み、作成されたファイルを保存した後にステップＳ２１に進むことによって付加情報及び圧縮音声作成が終了する。
【００４２】
ステップＳ１７で作成ファイルに付加情報を付加すると判定された場合（Ｙｅｓの場合）には、ステップＳ１８に進み、既に読み込まれているメディアにＴＥＸＴデータがあるか否かが判定され、ＴＥＸＴデータがない場合（Ｎｏの場合）には、ステップＳ１９に進んでメディアに含まれる音声をフォーマット変換する同時的に圧縮し、次のステップＳ２０に進んで作成されたファイルを保存した後にステップＳ２１に進むことによって付加情報及び圧縮音声作成が終了する。
【００４３】
ステップＳ１８にてＴＥＸＴデータがあると判定された場合（Ｙｅｓの場合）には、ステップＳ２２に進み、ＴＥＬＸ情報読み込みが行われ、ステップＳ２３に進んで、既に読み込まれているＴＥＸＴデータを編集するか否かを判定し、編集しないと判定された場合（Ｎｏの場合）にはステップＳ２４に進み、既に選択されているファイルの音声データ部をフォーマット変換した後にステップＳ２５に進み、ＴＥＸＴ情報を生成された圧縮音声データの付加情報領域に追加して形成してステップＳ２０に進んで作成されたファイルを保存した後にステップＳ２１に進むことによって付加情報及び圧縮音声作成が終了する。
【００４４】
ステップＳ２３で編集すると判定された場合（Ｙｅｓの場合）にはステップＳ２６に進んでユーザーによるＴＥＸＴ編集作業が行われた後にステップＳ２４に進み、既に選択されたファイルの音声データ部をフォーマット変換した後にステップＳ２５に進み、ＴＥＸＴ情報を生成された圧縮音声データの付加情報領域に追加して形成してステップＳ２０に進んで作成されたファイルを保存した後にステップＳ２１に進むことによって付加情報及び圧縮音声作成が終了する。
【００４５】
今までの説明では、テキスト情報を展開して音声データ成分に付加して書き込むときに、当該テキスト情報の編集を行うか否かをユーザーに問い掛ける機能を有し、かつＴＥＸＴ情報を付加するか否かをユーザーに問い掛ける機能も有しているが、いずれか一方の問い掛けを省略して固定機能とするように構成してもよい。
【００４６】
また、情報記録再生装置を構成する再生機能部、記録機能部、エンコーダ機能部の構成部材が全て同一の筺体に構成されている必要はなくそれぞれ機能部が独立していたとしても、音声あるいは音声データの受け渡し、ＴＥＸＴデータの受け渡しができる環境であればよいことは勿論である。
【００４７】
今までの説明ではＴＥＸＴ情報を一時的にメモリ格納し、当該格納データを取り出して使用しているが、ＴＥＸＴ情報をリアルタイムに伝送してメディアに記録することができれば当該メモリを省略することができる。
【００４８】
【発明の効果】
以上の説明で明らかなように、本発明による圧縮音声データのテキスト設定装置及びテキスト設定方法は、ＷＥＢに接続できるユーザーの使用環境、もしくは記録機器にモデム機能を設けるということが不要となり、構成が簡単になると共に、これに伴う大幅なコストダウンを図ることができ、文字入力キーを用いた繁雑操作をユーザーに強いることがないので、使い勝手を極めて良好にすることができる。
【００４９】
従って、本発明によれば、データベース等のＷＥＢ接続を行うことなく、簡単な操作でもって圧縮音声データのテキスト設定を行うことができると共に、構造を複雑化することのない圧縮音声データのテキスト設定装置及び圧縮音声データのテキスト設定方法を提供することができる。
【図面の簡単な説明】
【図１】本発明の第１の実施の形態による圧縮音声データのテキスト設定装置を含む情報記録再生装置のブロック回路図である。
【図２】本発明の実施の形態による圧縮音声データのテキスト設定の第１動作例を説明するためのフローチャートである。
【図３】本発明の第２の実施の形態による圧縮音声データのテキスト設定装置を含む情報記録再生装置のブロック回路図である。
【図４】本発明の第３の実施の形態による圧縮音声データのテキスト設定装置を含む情報記録再生装置のブロック回路図である。
【図５】本発明の実施の形態による圧縮音声データのテキスト設定の第２動作例を説明するためのフローチャートである。
【図６】ＭＰ３規格におけるＩＤ３ｔａｇ情報のデータ構造を模式的に示す図である。
【図７】図６中に示されるＩＤ３ｔａｇ　ｖ１情報のデータ構造を展開して模式的に示す図である。
【図８】図６中に示されるＩＤ３ｔａｇ　ｖ２情報のデータ構造を詳細に展開して模式的に示す図である。
【符号の説明】
１　システム制御部
１ａ　ＣＰＵ
１ｂ　ＲＯＭ
１ｃ　ＲＡＭ
２　表示器
３　キー操作部
４　リモコン受信部
５　記録再生部
５ａ　記録装置部
６　記録部
６ａ　記録動作駆動部
６ｂ　記録媒体
７　エンコード／デコード部
８　発振子
９　記録装置部
１０　再生部
１０ａ　再生動作駆動部
１０ｂ　再生媒体
１１　ネットワーク接続部
１２　デジタルインターフェイス部
１３　再生部
１３ａ　再生動作駆動部
１３ｂ　再生媒体
１３ｃ　記録装置部
１４　外部記録機器
１５　外部デジタル記録機器
【図１】
2004037686.tif 000003
【図２】
2004037686.tif 000004
【図３】
2004037686.tif 000005
【図４】
2004037686.tif 000006
【図５】
2004037686.tif 000007
【図６】
2004037686.tif 000008
【図７】
2004037686.tif 000009
【図８】
2004037686.tif 000010